(57)【要約】【課題】光ファイバの折れや変形を検出し、乱れた走査軌跡で走査が継続されてしまうことを防止する。【解決手段】光源５から発せられた光を導光する光ファイバ８と、該光ファイバ８の長手軸方向の途中位置に固定され、屈曲振動によって光ファイバ８の先端８ａを変位させるアクチュエータ１２と、少なくとも該アクチュエータ１２と光ファイバ８の先端８ａとの間の光ファイバ８の外周面に長手軸方向の所定範囲にわたって貼付された状態に延びる導電性を有する検出線部材１４とを備える光ファイバスキャナ６を提供する。【選択図】図１
2015232493.tif 000002
【特許請求の範囲】
【請求項１】
光源から発せられた光を導光する光ファイバと、
該光ファイバの長手軸方向の途中位置に固定され、屈曲振動によって前記光ファイバの先端を変位させるアクチュエータと、
少なくとも該アクチュエータと前記光ファイバの先端との間の前記光ファイバの外周面に長手軸方向の所定範囲にわたって貼付された状態に延びる導電性を有する検出線部材とを備える光ファイバスキャナ。
【請求項２】
前記検出線部材が、前記アクチュエータから前記光ファイバの先端近傍まで延びている請求項１に記載の光ファイバスキャナ。
【請求項３】
前記アクチュエータと前記光ファイバの先端との間の前記検出線部材を被覆する電気的絶縁性を有する絶縁部材を備える請求項１または請求項２に記載の光ファイバスキャナ。
【請求項４】
前記検出線部材が、前記光ファイバの先端側において折り返されて、該光ファイバの外周面を長手軸方向に往復して配置されている請求項１から請求項３のいずれかに記載の光ファイバスキャナ。
【請求項５】
前記光ファイバの外周面を往復する部分の前記検出線部材が、前記光ファイバの周方向に等間隔をあけて配置されている請求項４に記載の光ファイバスキャナ。
【請求項６】
前記検出線部材が、薄膜により構成されている請求項１から請求項５のいずれかに記載の光ファイバスキャナ。
【請求項７】
前記検出線部材が、前記光ファイバの径方向に電気的絶縁材料からなる絶縁薄膜を挟んで積層状態に形成されるとともに、前記光ファイバの先端側において前記絶縁薄膜を部分的に貫通することにより相互に電気的に導通された２層の薄膜により構成されている請求項６に記載の光ファイバスキャナ。
【請求項８】
前記光ファイバを貫通させる貫通孔を有し、前記アクチュエータを外面に固定する筒状の振動伝達部材を備え、
前記アクチュエータが振動的な電圧の印加により屈曲振動する圧電素子からなり、
前記振動伝達部材が、導電性材料により構成されるとともに、前記アクチュエータと前記検出線部材の一端との間に電気的に直列に接続されている請求項１から請求項７のいずれかに記載の光ファイバスキャナ。
【請求項９】
光を発生する光源と、
請求項１から請求項８のいずれかに記載の光ファイバスキャナと、
該光ファイバスキャナにより走査された光を集光する集光レンズと、
前記検出線部材が切断されたときに、前記光源から前記光ファイバに入射する光を遮断する遮断手段とを備える照明装置。
【請求項１０】
前記光源を駆動する光源駆動部を備え、
該光源駆動部が前記検出線部材を介して接地されている請求項９に記載の照明装置。
【請求項１１】
請求項９または請求項１０に記載の照明装置と、
該照明装置により観察対象に光が照射されたときに、該観察対象からの戻り光を受光する光検出部とを備える観察装置。
【発明の詳細な説明】
【技術分野】
【０００１】
本発明は、光ファイバスキャナ、照明装置および観察装置に関するものである。
【背景技術】
【０００２】
従来、圧電素子を駆動することにより光ファイバの先端を渦巻き状に振動させて観察対象に２次元的に光を走査する光ファイバスキャナが知られている（例えば、特許文献１参照。）。
この光ファイバスキャナは、外表面に周方向に４分割された電極を備える円筒状のＰＺＴ（チタン酸ジルコン酸鉛）アクチュエータの内孔を貫通して先端が片持ち梁状に支持される光ファイバの先端を、ＰＺＴアクチュエータの屈曲振動によって渦巻き状に移動させる。
【先行技術文献】
【特許文献】
【０００３】
【特許文献１】特表２００８−５０４５５７号公報
【発明の概要】
【発明が解決しようとする課題】
【０００４】
しかしながら、片持ち梁状に支持された光ファイバの先端を根元のＰＺＴアクチュエータの振動によって振動させるものであるため、光ファイバの先端の振動に伴い、光ファイバの根元に応力集中して光ファイバが折れたり変形したりしてしまうことがある。そして、光ファイバが折れたまたは変形した状態で光ファイバスキャナの動作が継続されると、光ファイバから射出される光の走査軌跡が乱れてしまうという不都合がある。
【０００５】
本発明は、上述した事情に鑑みてなされたものであって、光ファイバが折れたり変形したりしたときに、乱れた走査軌跡で走査が継続されてしまうことを防止することができる光ファイバスキャナ、照明装置および観察装置を提供することを目的としている。
【課題を解決するための手段】
【０００６】
上記目的を達成するために、本発明は以下の手段を提供する。
本発明の一態様は、光源から発せられた光を導光する光ファイバと、該光ファイバの長手軸方向の途中位置に固定され、屈曲振動によって前記光ファイバの先端を変位させるアクチュエータと、少なくとも該アクチュエータと前記光ファイバの先端との間の前記光ファイバの外周面に長手軸方向の所定範囲にわたって貼付された状態に延びる導電性を有する検出線部材とを備える光ファイバスキャナを提供する。
【０００７】
本態様によれば、光源からの光を光ファイバによって導光させながらアクチュエータを屈曲振動させて光ファイバの先端を変位させることにより、光ファイバの先端から射出された光を走査させることができる。
【０００８】
この場合において、検出線部材が貼付されているアクチュエータと光ファイバの先端との間の所定範囲において、光ファイバが振動によって折れたり変形したりすると、検出線部材が切断される。したがって、検出線部材の両端に電圧を加えておけば、検出線部材を流れる電流や抵抗値変化によって検出線部材の切断を検出することができる。また、検出線部材は制御部の接地線も兼ねるため、検出線部材の切断により電位不定状態となる。すなわち、検出線部材の切断により、光ファイバスキャナによる走査を停止または抑制させることができる。
【０００９】
上記態様においては、前記検出線部材が、前記アクチュエータから前記光ファイバの先端近傍まで延びていてもよい。
このようにすることで、アクチュエータから光ファイバの先端までの範囲において光ファイバの折れや変形が発生した時に、光ファイバスキャナによる走査を停止または抑制させることができる。
【００１０】
上記態様においては、前記アクチュエータと前記光ファイバの先端との間の前記検出線部材を被覆する電気的絶縁性を有する絶縁部材を備えていてもよい。
このようにすることで、検出線部材が外部の電界から受ける影響を低減して、光ファイバの折れや変形を精度よく検出することができる。
【００１１】
上記態様においては、前記検出線部材が、前記光ファイバの先端側において折り返されて、該光ファイバの外周面を長手軸方向に往復して配置されていてもよい。
このようにすることで、光ファイバの先端に配線をする必要がなく、光ファイバの先端の走査軌跡を精度よく制御することができる。
【００１２】
上記態様においては、前記光ファイバの外周面を往復する部分の前記検出線部材が、前記光ファイバの周方向に等間隔をあけて配置されていてもよい。
このようにすることで、検出線部材によって光ファイバの周方向の重量バランスが偏ることを防止して光ファイバの先端の走査軌跡を精度よく制御することができる。
【００１３】
上記態様においては、前記検出線部材が、薄膜により構成されていてもよい。
このようにすることで、光ファイバの外周面への検出線部材の形成が容易であり、検出線部材が光ファイバの折れや変形による影響を受け易くなるため、光ファイバの折れや変形を検出する感度をより向上することができる。
【００１４】
また、上記態様においては、前記検出線部材が、前記光ファイバの径方向に電気的絶縁材料からなる絶縁薄膜を挟んで積層状態に形成されるとともに、前記光ファイバの先端側において前記絶縁薄膜を部分的に貫通することにより相互に電気的に導通された２層の薄膜により構成されていてもよい。
このようにすることで、絶縁薄膜を挟んで積層状態に形成された検出線部材を、光ファイバの先端側の導通部分において径方向に折り返して長手軸方向に往復するように配置することができる。
【００１５】
上記態様においては、前記光ファイバを貫通させる貫通孔を有し、前記アクチュエータを外面に固定する筒状の振動伝達部材を備え、前記アクチュエータが振動的な電圧の印加により屈曲振動する圧電素子からなり、前記振動伝達部材が、導電性材料により構成されるとともに、前記アクチュエータと前記検出線部材の一端との間に電気的に直列に接続されていてもよい。
【００１６】
このようにすることで、電気的に直列に接続されたアクチュエータ、振動伝達部材および検出線部材の両端に振動的な電圧を加えると、圧電素子からなるアクチュエータが屈曲振動し、その振動が振動伝達部材を介して貫通孔内を貫通している光ファイバに伝達され、光ファイバの先端が変位させられる。そして、光ファイバに折れや変形が生じることにより検出線部材が切断されると、アクチュエータに加えていた電圧が遮断されるので、アクチュエータの振動が停止または抑制され、光ファイバスキャナによる走査を瞬時に停止または抑制することができる。
【００１７】
また、本発明の他の態様は、光を発生する光源と、上記の光ファイバスキャナと、該光ファイバスキャナにより走査された光を集光する集光レンズと、前記検出線部材が切断されたときに、前記光源から前記光ファイバに入射する光を遮断する遮断手段とを備える照明装置を提供する。
【００１８】
本態様によれば、光ファイバスキャナから照射された光源からの光を集光レンズによって集光して、観察対象にスポット光を照射することができる。このとき、検出線部材の両端に電圧が印加されていれば、検出部が光ファイバの折れや変形を検出すると、遮断手段が光ファイバに照明光を入射させないようにするため、光ファイバが折れた状態で観察対象へのスポット光の照射が継続されてしまうことを防止することができる。
【００１９】
また、上記態様においては、前記光源を駆動する光源駆動部を備え、該光源駆動部が前記検出線部材を介して接地されている照明装置を提供する。
【００２０】
このようにすることで、検出線部材が断線すると、光源駆動部における電位が不定状態になるので、光源の発光が停止または抑制され、過度の発熱を防止することができる。
【００２１】
また、本発明の他の態様は、上記の照明装置と、該照明装置により観察対象に光が照射されたときに、該観察対象からの戻り光を受光する光検出部とを備える観察装置を提供する。
本態様によれば、照明装置によって所望の軌跡に従って観察対象に光が照射されると、観察対象の表面で反射された戻り光が光検出部に受光されて、戻り光の強度を検出することができる。
【発明の効果】
【００２２】
本発明によれば光ファイバの折れや変形を検出し、乱れた走査軌跡で走査が継続されてしまうことを防止することができるという効果を奏する。
【図面の簡単な説明】
【００２３】
【図１】本発明の第１の実施形態に係る観察装置を示す縦断面図である。
【図２】図１の観察装置の光ファイバスキャナを線Ａ−Ａに沿って切断した横断面図である。
【図３】図１の観察装置の光ファイバスキャナの第１の変形例を示す縦断面図である。
【図４】図３の光ファイバスキャナを線Ｂ−Ｂに沿って切断した横断面図である。
【図５】図１の観察装置の光ファイバスキャナの第２の変形例の（ａ）光ファイバの外周面に絶縁薄膜を挟んで検出線部材を貼付した状態（ｂ）光ファイバの基端側および先端側において検出線部材および絶縁薄膜を長手軸に交差する方向に削った状態（ｃ）光ファイバの先端側における削った部分に接着剤を充填した状態（ｄ）検出線部材とアクチュエータとを電気的に直列に接続した状態を示す縦断面図である。
【図６】図１の観察装置の光ファイバスキャナの第３の変形例の（ａ）光ファイバの外周面に検出線部材を貼付した状態（ｂ）光ファイバの基端側および先端側において検出線部材の両端近傍をマスクで被覆し、マスク間を絶縁薄膜で被覆した状態（ｃ）絶縁薄膜において光ファイバの長手軸方向途中位置から光ファイバの先端近傍まで検出線部材で被覆し、先端側で２層の検出線部材が電気的に導通する状態（ｄ）検出線部材とアクチュエータとを電気的に直列に接続した状態を示す縦断面図である。
【図７】図１の観察装置の光ファイバスキャナの第４の変形例を示す横断面図である。
【図８】図１の観察装置の光ファイバスキャナの第５の変形例を示す縦断面図である。
【図９】図８の光ファイバスキャナを線Ｃ−Ｃに沿って切断した横断面図である。
【図１０】図１の観察装置の装置本体の第６の変形例を示す縦断面図である。
【図１１】図１の観察装置の装置本体の第７の変形例を示す縦断面図である。
【図１２】図１１の光ファイバスキャナを線Ｄ−Ｄに沿って切断した横断面図である。
【図１３】本発明の第２の実施形態に係る観察装置を示す縦断面図である。
【図１４】本発明の第３の実施形態に係る観察装置を示す縦断面図である。
【発明を実施するための形態】
【００２４】
本発明の第１の実施形態に係る光ファイバスキャナ６、照明装置３および観察装置１について図面を参照して以下に説明する。
本実施形態に係る観察装置１は、図１に示されるように、円筒状の装置本体２と、照明光を照射する照明装置３と、該照明装置３により観察対象に照射された照明光の観察対象からの戻り光（例えば、反射光、蛍光）を受光する光検出部４とを備えている。
【００２５】
照明装置３は、図１および図２に示されるように、照明光を発生する光源（例えば、レーザダイオード）５と、装置本体２の内部に収容されて照明光を２次元的に走査する本実施形態に係る光ファイバスキャナ６と、該光ファイバスキャナ６により走査された照明光を集光する集光レンズ７と、光ファイバスキャナ６を制御する制御部９とを備えている。
【００２６】
本実施形態に係る光ファイバスキャナ６は、図１および図２に示されるように、光源５からの照明光を導光する光ファイバ８と、該光ファイバ８を貫通させる貫通孔１０を有する四角柱状の弾性材料からなる振動伝達部材１１と、該振動伝達部材１１の４つの外面１１ａに固定された４つの圧電素子（アクチュエータ）１２と、振動伝達部材１１の基端側において装置本体２に対して光ファイバ８を支持する支持部１３と、光ファイバ８の外周面に貼付された検出線部材１４とを備えている。
【００２７】
圧電素子１２は、厚さ方向の両面に配置される電極１５ａ，１５ｂ間に印加される振動的な電圧によって屈曲振動させられるようになっている。圧電素子１２を屈曲振動させることにより、その振動が振動伝達部材１１を介して光ファイバ８に伝達され、照明光を射出する光ファイバ８の先端８ａが、長手軸に交差する方向に変位させられるようになっている。
【００２８】
振動伝達部材１１を挟んで反対側の表面に配置される一対の圧電素子１２は、振動伝達部材１１に対して表裏が逆となるように配置されており、分極方向を同一方向に揃えて振動伝達部材１１に固定されている。これにより、各対の圧電素子１２に対しては、外側に位置する電極１５に同じ電圧を印加することにより、同一の屈曲振動を発生させることができるようになっている。すなわち、２対４個の圧電素子１２は、互いに直交する２方向の屈曲振動を発生させることができるようになっている。
【００２９】
振動伝達部材１１は、導電性を有する弾性材料からなり、光ファイバ８の先端８ａから基端８ｂ側に長手軸方向に沿って所定の間隔を空けた光ファイバ８の長手軸方向の途中位置に配置されている。
【００３０】
検出線部材１４は、導電性を有する線材（例えば、銅、アルミニウム等）である。この検出線部材１４は、光ファイバ８の外周面上において、支持部１３より基端８ｂ側から先端８ａ近傍まで延び、先端８ａ近傍で折り返されて長手軸方向に往復し、振動伝達部材１１に一端１４ａ近傍が電気的に接続されている。
【００３１】
また、検出線部材１４は、振動伝達部材１１に電気的に接続される一端１４ａ近傍を除き、検出線部材１４を周囲から電気的に絶縁する絶縁薄膜１６によって被覆されている。
また、検出線部材１４は、光ファイバ８の周方向に１８０°間隔を空けて貼付されている。
【００３２】
集光レンズ７は、光ファイバスキャナ６よりも先端側の装置本体２に固定され、光ファイバスキャナ６により走査された照明光を観察対象に集束させるようになっている。
制御部９は、光ファイバ８の先端８ａから射出される照明光が観察者により入力された所定の走査軌跡となるように、所定の走査軌跡に基づいた電圧を各圧電素子１２に印加するようになっている。また、制御部９は、各圧電素子１２および検出線部材１４の他端１４ｂに電気的に接続されており、光ファイバ８の振動時の変位が小さい位置に電圧を印加するようになっている。
【００３３】
光検出部４は、観察対象からの戻り光を装置本体２の基端側に導光する検出用光ファイバ１７と、該検出用光ファイバ１７によって導光された戻り光の強度を検出する光センサ１８とを備えている。
検出用ファイバ１７は、先端１７ａを前方に向けて装置本体２の外周面に固定され、周方向に等間隔を空けて複数配列されている。
光センサ１８は、各検出用ファイバ１７によって受光された戻り光の合計強度を検出するようになっている。
【００３４】
このように構成された本実施形態に係る光ファイバスキャナ６、照明装置３および観察装置１の作用について以下に説明する。
本実施形態に係る観察装置１を用いて観察対象を観察するには、まず、光ファイバ８の先端８ａを観察対象に対向させて、制御部９によって各圧電素子１２の２つの電極１５ａ，１５ｂ間に電圧を印加する。これにより、印加された電圧に対応する態様で圧電素子１２が屈曲振動して、光ファイバ８の先端８ａが変位させられる。
【００３５】
この状態で、光源５からの照明光を光ファイバ８に入射させると、光ファイバ８を介して導光されてきた照明光が光ファイバ８の先端８ａから射出され、集光レンズ７によって集光されてスポット光となった照明光を観察対象において走査させることができる。そして、この照明光が観察対象に照射されると、観察対象から戻る戻り光（反射光または蛍光）が各検出用光ファイバ１７によって受光され光センサ１８によって検出される。したがって、走査位置と戻り光の強度とを対応づけて記憶することにより、観察対象の画像を取得することができる。
【００３６】
この場合において、応力集中等の原因によって、振動している光ファイバ８に折れや変形が発生すると、光ファイバ８に沿って配置されている検出線部材１４が切断される。検出線部材１４は圧電素子１２から振動伝達部材１１を介して制御部９までの間を電気的に直列に接続しているので、切断されると圧電素子１２に電圧が印加されなくなり、圧電素子１２の動作が停止または抑制して光ファイバスキャナ６による走査が停止する。これにより、光ファイバ８が折れたり変形したりした異常な状態のまま光ファイバ８の先端８ａの変位が継続し、振動伝達部材１１や支持部１３と光ファイバ８との間の摩擦により発熱して光ファイバスキャナ６が高温になることを防止することができる。
【００３７】
すなわち、検出線部材１４の切断によって光ファイバスキャナ６による走査が瞬時に停止または抑制されるため、走査軌跡が乱れたままの状態で走査が継続されてしまうことを防止することができるという利点がある。
この場合において、検出線部材１４は制御部９の接地線も兼ねるため、検出線部材１４の切断により電位を不定状態にすることができるという利点がある。
【００３８】
また、この場合において、検出線部材１４の一端１４ａ近傍を除いて検出線部材１４を絶縁部材１６が被覆しているため、検出線部材１４が外部の電界から受ける影響を低減して、光ファイバ８の折れや変形を精度よく検出することができるという利点がある。
【００３９】
また、この場合において、検出線部材１４が先端８ａ近傍で折り返されて長手軸方向に往復していることにより、制御部９に電気的に接続するための配線を光ファイバ８の先端８ａに接続する必要がないので、配線による走査軌跡のずれを防止して光ファイバ８の先端８ａの走査軌跡を精度よく制御することができる。
【００４０】
また、この場合において、光ファイバ８の外周面を往復する部分の検出線部材１４が、光ファイバ８の周方向に１８０°間隔をあけて配置されているので、検出線部材１４によって光ファイバ８の周方向の重量バランスが偏ることを防止して光ファイバ８の先端８ａの走査軌跡を精度よく制御することができる。
【００４１】
なお、本実施形態においては、検出線部材１４として、光ファイバ８において、支持部１３よりも基端８ｂ側から延びて先端８ａ近傍で折り返して往復するようなものを例示したが、これに限られるものではない。例えば、検出線部材１４は、光ファイバ８の外周面において、振動伝達部材１１から先端８ａ近傍までの範囲に貼付されてもよいし、比較的応力が集中しやすい振動伝達部材１１の先端近傍の範囲にのみ貼付されてもよい。
【００４２】
また、本実施形態においては、検出線部材として、線材からなる検出線部材１４を例示したが、これに限られるものではなく、図３および図４に示されるように、導電性材料からなる薄膜によって検出線部材１９を構成してもよい。
【００４３】
具体的には、まず、光ファイバ８の外周面において、周方向の一部を基端８ｂ側から先端８ａ近傍で折り返して途中位置まで延びる検出線部材１９をコーティングにより形成し、該検出線部材１９の他端１９ｂ側の光ファイバ８の外周面を往復する部分の外表面全面に電気的な絶縁性を有する薄膜である絶縁部材（以下、単に絶縁薄膜という。）２０をコーティングして被覆すればよい。
【００４４】
これにより、２つの光ファイバ８の外周面を往復する部分において、一端１９ａ側の部分を振動伝達部材１１と電気的に導通させ、他端１９ｂ側の部分を振動伝達部材１１に対して絶縁することができる
このようにすることで、光ファイバ８の外周面への検出線部材１９の形成が容易であり、検出線部材１９が光ファイバ８の折れや変形による影響を受け易くなるため、光ファイバ８の折れや変形を検出する感度をより向上することができる。
【００４５】
また、検出線部材として、図５および図６に示されるように、光ファイバ８の径方向に絶縁薄膜２０を挟んで積層状態に形成されるとともに、光ファイバ８の先端８ａ側において絶縁薄膜２０を部分的に貫通することにより相互に電気的に導通された２層の薄膜２１ａ，２１ｂにより構成される検出線部材２１を採用してもよい。
【００４６】
このような検出線部材２１を構成するには、図５に示されるように、まず、光ファイバ８の外周全周に導電性材料からなる薄膜２１ａをコーティングし、該薄膜２１ａの外周全周を絶縁薄膜２０でコーティングして、さらに該絶縁薄膜２０の外周全周に薄膜２１ｂをコーティングする。次に、薄膜２１ａが径方向に露出するよう絶縁薄膜２０および薄膜２１ｂの両端側を長手軸に交差する方向に削る。そして、先端８ａ側の削りを入れた部分に導電性を有する接着剤２２を充填して、２層の薄膜２１ａ，２１ｂを相互に電気的に導通する。
【００４７】
また、上述の方法に代えて、図６に示されるように、まず、光ファイバ８の外周全周に導電性材料からなる薄膜２１ａをコーティングし、コーティングされた薄膜２１ａの両端側をマスク２３で被覆し、マスク２３間に露出する薄膜２１ａの外周面を絶縁薄膜２０で被覆する。そして、絶縁薄膜２０の外周における光ファイバ８の長手方向途中位置、および絶縁薄膜２０の先端より若干先端側に間隔を空けた位置に配置されたマスク２３間を薄膜２１ｂによりコーティングしつつ、先端８ａ側で２層の薄膜２１ａ，２１ｂを接続させることにしてもよい。
【００４８】
これらによれば、絶縁薄膜２０を挟んで積層状態に形成された薄膜２１ａ，２１ｂを、光ファイバ８の先端８ａ側の導通部分において径方向に折り返して長手軸方向に往復するように配置することができる。
【００４９】
また、本実施形態においては、光ファイバスキャナ６として、図７に示されるように、振動伝達部材１１の貫通孔１０において、貫通孔１０の内周面と光ファイバ８の外周面との間に存在する隙間に導電性を有する接着剤２２を充填してもよい。
これによれば、隙間を埋めることによって光ファイバ８、検出線部材１４、絶縁部材１６および振動伝達部材１１の密着性が向上するため、圧電素子１２からの振動の伝達効率がより向上することができる。
【００５０】
また、本実施形態においては、圧電素子１２として、４つの圧電素子１２に振動的に電圧を印加して屈曲振動させているが、これに限られるものではなく、例えば、圧電素子１２が単体で屈曲振動するものであってもよい。また、走査軌跡は、2次元的な軌跡に限られるものではなく、光軸Ｓに交差する方向であれば、１次元的な軌跡であってもよい。
【００５１】
また、本実施形態においては、圧電素子１２を振動伝達部材１１に固定して光ファイバ８に間接的に固定するものを例示したが、これに代えて、振動伝達部材１１を用いず、光ファイバ８の外周面に直接圧電素子１２を固定してもよい。
【００５２】
また、本実施形態においては、光ファイバスキャナ６として、光ファイバ８に貼付された検出線部材１４の外表面を絶縁部材１６が被覆するものを例示したが、これに代えて、図８および図９に示されるように、振動伝達部材２５の貫通孔１０の内周面において、周方向の一部に絶縁薄膜２０がコーティングされ、残りの部分に導電性を有する導電薄膜４１がコーティングされている光ファイバスキャナ２４を採用してもよい。
【００５３】
これによれば、光ファイバ８の外周面に貼付されるのは、薄膜である検出線部材１９のみであるため、光ファイバ８の折れや変形に対する耐久性を低下させて、検出線部材１９による検出精度をより向上することができる。
【００５４】
また、本実施形態においては、両端１４ａ，１４ｂが振動伝達部材１１の先端より基端８ｂ側に配置される検出線部材１４を例示したが、これに代えて、図１０に示されるように、光ファイバ８の外周面全周において、振動伝達部材１１から先端８ａ近傍まで貼付され、導電性材料からなる薄膜によって構成される検出線部材２６を採用してもよい。
【００５５】
具体的には、まず、光ファイバ８の外周面全周において、振動伝達部材１１から先端８ａ近傍まで延びる検出線部材２６をコーティングにより形成し、該検出線部材２６の一端２６ａ側を振動伝達部材１１に電気的に接続させる。そして、光ファイバ８の先端８ａ近傍において、検出線部材２６の他端２６ｂ近傍と制御部９とが導通するよう配線すればよい。
【００５６】
また、図１１および図１２に示されるように、光ファイバ８の外周面において、光ファイバ８の先端８ａ近傍から振動伝達部材２７の基端側まで延びる導電性を有する４つの線材で構成された検出線部材２８を採用してもよい。
【００５７】
この場合には、振動伝達部材２７の横断面における対角線に沿って、振動伝達部材２７を４つに画定する電気的な絶縁層２９を備え、各外面２７ａに固定された圧電素子１２が相互に電気的に接続されないようになっており、電気的に絶縁された振動伝達部材２７の各部分が、対応する各検出線部材２８に個別に電気的に接続されていればよい。
これによれば、圧電素子１２側を接地電位にして、各圧電素子１２を個別に駆動することができる。
【００５８】
次に、本発明の第２の実施形態に係る照明装置３０について図面を参照して以下に説明する。
本実施形態の説明において、上述した第１の実施形態に係る照明装置３と構成を共通とする箇所には同一符号を付して説明を省略する。
【００５９】
本実施形態に係る照明装置３０は、図１３に示されるように、検出線部材１４の切断を検出する検出部３１と、該検出部３１の検出結果に基づいて光源５からの照明光を光ファイバ８に入射させないようにする遮断手段３２とを備えている点において、第１の実施形態に係る照明装置３と相違している。
【００６０】
検出部３１は、検出線部材１４の両端１４ａ，１４ｂ間に微弱な電流を流してその電圧値を検出する回路である。検出線部材１４が切断されると、回路が断線されるため、検出部３１によって検出される電圧値がゼロとなり、光ファイバ８が折れたり変形したりしていることを判断できるようになっている。
【００６１】
遮断手段３２は、光源５からの照明光を遮光するシャッタである。遮断手段３２は、検出部３１によって検出線部材１４の切断が検出されると光源５と光ファイバ８との間の光路を遮断するようになっている。
【００６２】
このように構成された本実施形態に係る照明装置３０の作用について以下に説明する。
本実施形態に係る照明装置３０は、制御部９によって各圧電素子１２に電圧を印加して光ファイバ８の先端８ａを変位させる。この状態で、光源５からの照明光を光ファイバ８に導光させることにより、光ファイバ８の先端８ａから射出された照明光を観察対象において走査させることができる。
【００６３】
このとき、検出線部材１４が切断されると、各圧電素子１２から制御部９までの間を電気的に直列に接続している回路が断線するので各圧電素子１２の屈曲振動が停止し、検出線部材１４の両端１４ａ，１４ｂ間の回路の断線によって検出部３１が検出線部材１４の切断を検出する。検出部３１によって検出線部材１４の切断が検出されると、検出部３１がシャッタに駆動信号を送信してシャッタを作動させ、作動させられたシャッタが光源５からの照明光を光ファイバ８の基端８ｂに入射する前に遮光する。
【００６４】
すなわち、光ファイバ８の折れや変形によって検出線部材１４が切断されると、光ファイバ８の先端８ａの変位および先端８ａからの照明光の射出を瞬時に停止させることができるという利点がある。
この場合において、光ファイバ８が折れた異常な状態のまま光ファイバ８の先端８ａからの照明光の射出が継続されないので、照射光が長時間１点に照射されることを防止することができる。
【００６５】
なお、本実施形態においては、遮断手段３２として、シャッタを用いるものを例示したが、これに限られるものではなく、例えば、検出部３１が検出線部材１４の切断を検出すると、電源（図示省略。）から光源５に電力を供給する配線を電気的に遮断するものを採用してもよい。
【００６６】
また、本実施形態においては、検出部３１が電圧値を検出することとしたが、これに代えて検出線部材１４の断線を検出するための電気的な量、例えば、抵抗値、電流値、容量値等を検出してもよい。
【００６７】
次に、本発明の第３の実施形態に係る照明装置３３について図面を参照して以下に説明する。
本実施形態に係る照明装置３３は、図１４に示されるように、制御部９により各圧電素子１２に電圧を印加する回路に並列して光源５および光源駆動部３４を直列に含む回路を備えている点において、第１の実施形態に係る照明装置３と相違している。
【００６８】
すなわち、光源駆動部３４は、光源５を介して振動伝達部材１１に配線されており、振動伝達部材１１から検出線部材１４を介して接地されるまでの回路は、制御部９による圧電素子１２の駆動回路と共通している。検出線部材１４は、制御部９および光源駆動部３４に共通する接地線となる。
【００６９】
このように構成された本実施形態に係る照明装置３３の作用について以下に説明する。
本実施形態に係る照明装置３３は、制御部９によって各圧電素子１２に電圧を印加して光ファイバ８の先端８ａを変位させるとともに、光源駆動部３４を駆動して光源５から発光させることにより、光源５からの照明光を観察対象において走査させることができる。
【００７０】
この場合において、検出線部材１４が断線すると、検出線部材１４を含む回路が切断され、制御部９および光源駆動部３４における電位が不定状態になるので、各圧電素子１２の屈曲振動と光源５の発光とが瞬時に停止または抑制する。したがって、光ファイバ８が折れたり変形したりすると、光ファイバスキャナ６による走査を停止させ、かつ、照明光の発光による光源５の過度の発熱を防止することができる。
【符号の説明】
【００７１】
１  観察装置
３，３０，３３  照明装置
４  光検出部
５  光源
６，２４  光ファイバスキャナ
７  集光レンズ
８  光ファイバ
１１，２５，２７  振動伝達部材
１２  圧電素子（アクチュエータ）
１４，１９，２１，２６，２８  検出線部材
１６，２０  絶縁部材（絶縁薄膜）
３２  遮断手段
３４  光源駆動部
【図１】
2015232493.tif 000003
【図２】
2015232493.tif 000004
【図３】
2015232493.tif 000005
【図４】
2015232493.tif 000006
【図５】
2015232493.tif 000007
【図６】
2015232493.tif 000008
【図７】
2015232493.tif 000009
【図８】
2015232493.tif 000010
【図９】
2015232493.tif 000011
【図１０】
2015232493.tif 000012
【図１１】
2015232493.tif 000013
【図１２】
2015232493.tif 000014
【図１３】
2015232493.tif 000015
【図１４】
2015232493.tif 000016